(57)【要約】【課題】ユーザからの要求に応じて機能の加除を柔軟に行うことができる紙葉類処理装置を構築する紙葉類入出ユニットを提供すること課題とする。【解決手段】紙葉類入出ユニットは、紙葉類投入部と、紙葉類排出部と、複数の紙葉類収納部を有する第１の収納ユニットに接続される第１の入出部と、複数の紙葉類収納部を有する第２の収納ユニットに接続される第２の入出部と、前記紙葉類投入部、前記紙葉類排出部、前記第１の入出部及び前記第２の入出部に接続され、前記第１の入出部を介して、前記第１の収納ユニットとの間で双方向に紙葉類を搬送し、前記第２の入出部を介して、前記第２の収納ユニットとの間で双方向に紙葉類を搬送する搬送部と、前記搬送部上に配置された識別部と、を備える。【選択図】図１
2019074968.tif 000002
【特許請求の範囲】
【請求項１】
紙葉類投入部と、
紙葉類排出部と、
複数の紙葉類収納部を有する第１の収納ユニットに接続される第１の入出部と、
複数の紙葉類収納部を有する第２の収納ユニットに接続される第２の入出部と、
前記紙葉類投入部、前記紙葉類排出部、前記第１の入出部及び前記第２の入出部に接続され、前記第１の入出部を介して、前記第１の収納ユニットとの間で双方向に紙葉類を搬送し、前記第２の入出部を介して、前記第２の収納ユニットとの間で双方向に紙葉類を搬送する搬送部と、
前記搬送部上に配置された識別部と、
を備える紙葉類入出ユニット。
【請求項２】
前記第１の入出部は、前記紙葉類投入部が設けられる位置よりも前記第１の収納ユニット側である後方側の側面に設けられており、
前記第２の入出部は下面に設けられている、
請求項１に記載の紙葉類入出ユニット。
【請求項３】
紙葉類収納部を更に備え、
前記搬送部は前記紙葉類収納部に接続される、
請求項１又は２の何れかに記載の紙葉類入出ユニット。
【請求項４】
請求項１乃至３の何れかに記載の紙葉類入出ユニットと、
前記第１の入出部に接続された前記第１の収納ユニット及び前記第２の入出部に接続された前記第２の収納ユニットの少なくとも一方と、
を備える紙葉類処理装置。
【請求項５】
前記紙葉類入出ユニットと前記第１の収納ユニットとは、高さが互いに略等しく、
前記紙葉類入出ユニットと前記第２の収納ユニットとは、前記第１の入出部が設けられる位置よりも前記紙葉類投入部側である前方側から見た奥行きが互いに略等しい、
請求項４に記載の紙葉類処理装置。
【請求項６】
前記第１の収納ユニットが有する前記紙葉類収納部、及び、前記第２の収納ユニットが有する前記紙葉類収納部は、カセット式の収納部であり、互いに交換可能である、
請求項４又は５に記載の紙葉類処理装置。
【請求項７】
前記第１の収納ユニットが有する前記紙葉類収納部、及び、前記第２の収納ユニットが有する前記紙葉類収納部のうちの少なくとも１つは、複数の紙葉類が回転体に巻き取られた状態で収納される巻き取り式の収納部である、
請求項４乃至６の何れかに記載の紙葉類処理装置。
【請求項８】
前記巻き取り式の収納部は、前記回転体を２つ有する、
請求項７に記載の紙葉類処理装置。
【請求項９】
紙葉類収納部を有する第３の収納ユニットを更に備え、
前記第３の収納ユニットは、前記第１の収納ユニットの下面に設けられた第３の入出部、又は、前記第２の収納ユニットの側面であって前記紙葉類投入部が設けられる位置よりも前記第１の収納ユニット側である後方側の側面に設けられた第４の入出部に接続される、
請求項４乃至８の何れかに記載の紙葉類処理装置。
【請求項１０】
前記第２の収納ユニットと前記第３の収納ユニットとは、前記第１の入出部が設けられる位置よりも前記紙葉類投入部側である前方側から見た奥行きが互いに略等しい、
請求項９に記載の紙葉類処理装置。
【請求項１１】
前記第２の収納ユニットの設置位置と前記第３の収納ユニットの設置位置は交換可能であり、
前記第２の収納ユニットは、前記第３の収納ユニットと設置位置が交換される場合、前記第２の入出部に代えて、前記第３の入出部又は前記第３の収納ユニットに設けられた第５の入出部に接続され、
前記第３の収納ユニットは、前記第２の収納ユニットと設置位置が交換される場合、前記第３の入出部又は前記第４の入出部に代えて、前記第２の入出部に接続される、
請求項１０に記載の紙葉類処理装置。
【請求項１２】
前記第２の収納ユニットと前記第３の収納ユニットのうち前方側に配置される収納ユニットは、前方側から開閉可能な前方扉を有し、
前記第２の収納ユニットと前記第３の収納ユニットのうち後方側に配置される収納ユニットは、後方側から開閉可能な後方扉を有する、
請求項９乃至１１の何れかに記載の紙葉類処理装置。
【請求項１３】
前記紙葉類入出ユニットは請求項３に記載の紙葉類入出ユニットであり、
前記紙葉類入出ユニットが有する前記紙葉類収納部は、カセット式の収納部であり、前記第１の収納ユニットが有する前記紙葉類収納部及び前記第２の収納ユニットが有する前記紙葉類収納部の少なくとも一方と交換可能である、
請求項４乃至１２の何れかに記載の紙葉類処理装置。
【請求項１４】
前記紙葉類入出ユニットが有する前記紙葉類収納部は、複数の紙葉類が回転体に巻き取られた状態で収納される巻き取り式の収納部である、
請求項１３に記載の紙葉類処理装置。
【請求項１５】
前記巻き取り式の収納部は、前記回転体を２つ有する、
請求項１４に記載の紙葉類処理装置。
【請求項１６】
請求項４乃至１５の何れかに記載の紙葉類処理装置を複数有し、
複数の前記紙葉類処理装置の間で紙葉類の移動が行われる、
紙葉類処理システム。
【請求項１７】
前記第１の収納ユニットが有する前記紙葉類収納部、及び、前記第２の収納ユニットが有する前記紙葉類収納部のうちの１つを、複数の前記紙葉類処理装置の間で交換することによって、前記紙葉類の移動が行われるように構成されている、
請求項１６に記載の紙葉類処理システム。
【請求項１８】
前記紙葉類入出ユニットは、複数の前記紙葉類処理装置の間で交換可能である、
請求項１６又は１７に記載の紙葉類処理システム。
【発明の詳細な説明】
【技術分野】
【０００１】
本発明は、紙葉類が投入されるとともに排出される紙葉類入出ユニット、当該紙葉類入出ユニットを備える紙葉類処理装置、及び、当該紙葉類処理装置を複数有する紙葉類処理システムに関する。
【背景技術】
【０００２】
例えば特許文献１、２に開示されるように、従来、様々な機能を有する紙葉類処理装置が提案及び実用化されている。
【先行技術文献】
【特許文献】
【０００３】
【特許文献１】特開２０１７−０９１３７３号公報
【特許文献２】特開２０１７−０７９０２０号公報
【発明の概要】
【発明が解決しようとする課題】
【０００４】
機能の付加よって紙葉類処理装置が大型化することがある。また、ユーザによっては不要な機能を紙葉類処理装置が有していることがある。すなわち、様々な機能を有する紙葉類処理装置は、あるユーザにとっては、無用に大きくなったものである場合がある。その場合、不要な機能のために紙葉類処理装置が設置できない又は設置位置に制限が生じる可能性があり都合が悪い。
【０００５】
本発明はこのような状況に鑑みてなされたものであり、ユーザからの要求に応じて機能の加除を柔軟に行うことができる紙葉類処理装置を構築する紙葉類入出ユニットを提供することを課題とする。
【課題を解決するための手段】
【０００６】
本発明に係る紙葉類入出ユニットは、紙葉類投入部と、紙葉類排出部と、複数の紙葉類収納部を有する第１の収納ユニットに接続される第１の入出部と、複数の紙葉類収納部を有する第２の収納ユニットに接続される第２の入出部と、前記紙葉類投入部、前記紙葉類排出部、前記第１の入出部及び前記第２の入出部に接続され、前記第１の入出部を介して、前記第１の収納ユニットとの間で双方向に紙葉類を搬送し、前記第２の入出部を介して、前記第２の収納ユニットとの間で双方向に紙葉類を搬送する搬送部と、前記搬送部上に配置された識別部と、を備える。
【発明の効果】
【０００７】
本発明によれば、ユーザからの要求に応じて機能の加除を柔軟に行うことができる紙葉類処理装置を構築する紙葉類入出ユニットを提供することができる。
【図面の簡単な説明】
【０００８】
【図１】紙葉類入出ユニットの模式図。
【図２】第１の収納ユニットの模式図。
【図３】第２の収納ユニットの模式図。
【図４】第３の収納ユニットの模式図。
【図５】紙葉類入出ユニットと第１の収納ユニットを備える紙葉類処理装置の模式図。
【図６】紙葉類入出ユニットと第２の収納ユニットを備える紙葉類処理装置の模式図。
【図７】紙葉類入出ユニット、第２の収納ユニット及び第３の収納ユニットを備える紙葉類処理装置の模式図。
【図８】紙葉類入出ユニット、第２の収納ユニット及び第３の収納ユニットを備える他の紙葉類処理装置の模式図。
【図９】紙葉類入出ユニットと２つの第２の収納ユニットを備える紙葉類処理装置の模式図。
【図１０】紙葉類入出ユニット、第１の収納ユニット、第２の収納ユニット及び第３の収納ユニットを備える紙葉類処理装置の模式図。
【図１１】紙葉類入出ユニットと第３の収納ユニットを備える紙葉類処理装置の模式図。
【図１２】紙葉類入出ユニット、第２の収納ユニット及び第４の収納ユニットを備える紙葉類処理装置の模式図。
【図１３】紙葉類入出ユニット、第１の収納ユニット及び第３の収納ユニットを備える紙葉類処理装置の模式図。
【図１４】複数の紙葉類処理装置を有する紙葉類処理システムの模式図。
【発明を実施するための形態】
【０００９】
以下、本発明について、図面を参照しながら詳細に説明する。なお、以下の説明において、紙葉類処理ユニット又は紙葉類処理装置の「前」とは、紙葉類の投入及び排出の操作を紙葉類処理ユニットに設けられた投入口及び排出口を介して行う操作者側を意味する。言い換えると、紙葉類処理装置の「前」とは、紙葉類の投入口及び排出口が設けられた側を意味する。また、紙葉類処理装置の「後」とは、その反対側を意味する。また、紙葉類処理装置の「左」とは、上記操作者から見て左側を意味し、紙葉類処理装置の「右」とは、上記操作者からみて右側を意味する。
【００１０】
以下の説明では、紙葉類として紙幣が用いられる場合について説明する。
【００１１】
（１）紙葉類入出ユニット
図１は左側面側から見た本発明に係る紙葉類入出ユニット１００の模式図である。紙葉類入出ユニット１００は、紙葉類投入部１０１、紙葉類排出部１０２、第１の入出部１０３、第２の入出部１０４、搬送部１０５、識別部１０６及び制御部１０７を有する。
【００１２】
紙葉類投入部１０１は、紙葉類入出ユニット１００の前方側の側面に設けられた投入口１００ａに隣接するように、紙葉類入出ユニット１００の前方側に配置されている。紙葉類投入部１０１は、繰出部、繰出制御センサ、連鎖検知センサ等から構成されている。なお、投入口１００ａは、紙葉類入出ユニット１００の上面の前方側に設けられても良い。
【００１３】
紙葉類排出部１０２は、紙葉類入出ユニット１００の前方側の側面に設けられた排出口１００ｂに隣接するように、紙葉類入出ユニット１００の前方側に配置されている。なお、排出口１００ｂは、紙葉類入出ユニット１００の上面の前方側に設けられても良い。
【００１４】
第１の入出部１０３は、開口を有し、後に説明する第１の接続部１１３と接続されて紙幣の通路を構成する。第１の入出部１０３は、紙葉類入出ユニット１００の後方側の側面に設けられている。
【００１５】
第２の入出部１０４は、開口を有し、後に説明する第２の接続部１２３等と接続されて紙幣の通路を構成する。第２の入出部１０４は、紙葉類入出ユニット１００の下面に設けられている。
【００１６】
搬送部１０５は、紙幣を所定の搬送速度で搬送する。搬送部１０５は、紙幣を搬送するベルト機構やローラ機構によって構成されている。搬送部１０５は、紙幣を双方向に搬送可能であり、側面視円形のループ状搬送路１０５ａと、このループ状搬送路１０５ａから分岐する複数の分岐路１０５ｂを有する。複数の分岐路１０５ｂは、それぞれ、ループ状搬送路１０５ａと紙葉類投入部１０１、紙葉類排出部１０２、第１の入出部１０３及び第２の入出部１０４とを接続する。
【００１７】
識別部１０６は、ループ状搬送路１０５ａ上に配置されている。識別部１０６は、画像センサ、光学センサ、磁気センサ等のセンサを備えており、搬送部１０５で搬送される紙幣の真偽、金種、正損等を識別する。
【００１８】
制御部１０７は、紙葉類投入部１０１、紙葉類排出部１０２、搬送部１０５及び識別部１０６の動作を制御する。また、制御部１０７は、後に説明する第１の収納ユニット１１０、第２の収納ユニット１２０、第３の収納ユニット１３０又は第４の収納ユニット１４０が紙葉類入出ユニット１００に直接又は間接に接続されている場合、それらの動作を制御する。
【００１９】
以上のように構成される紙葉類入出ユニット１００においては、投入口１００ａを介して紙葉類投入部１０１に投入された紙葉類は、紙葉類投入部１０１によって紙葉類入出ユニット１００の内部に繰り出される。紙葉類入出ユニット１００の内部に繰り出された紙葉類は、搬送部１０５によって搬送される。搬送部１０５によって搬送されている間に、識別部１０６によって紙幣の識別が行われる。
【００２０】
識別された紙幣は、識別結果に応じて第１の入出部１０３又は第２の入出部１０４に搬送される。その後、紙幣は、第１の入出部１０３に接続された第１の収納ユニット１１０（後述）内の紙葉類収納部、又は、第２の入出部１０４に接続された第２の収納ユニット１２０（後述）内の紙葉類収納部に収納される。なお、識別した紙幣が偽券であった場合等、必要に応じて紙幣を紙葉類排出部１０２に搬送しても良い。
【００２１】
第１の入出部１０３に接続された第１の収納ユニット１１０（後述）、又は、第２の入出部１０４に接続された第２の収納ユニット１２０（後述）から供給された紙幣は、識別部１０６を経由して、又は経由することなく、搬送部１０５によって紙葉類排出部１０２に搬送される。
【００２２】
紙葉類排出部１０２には、搬送部１０５によって搬送されてきた複数枚の紙幣を積層することができる。紙葉類排出部１０２に搬送された紙幣は、排出口１００ｂを介して外部に排出される。
【００２３】
また、紙葉類入出ユニット１００は、図１に示されるように、回収庫１０８を備えていても良い。回収庫１０８は分岐路１０５ｂの１つを介してループ状搬送路１０５ａに接続される。
【００２４】
回収庫１０８は、例えば、偽券を収納する収納箱、若しくは、入金紙幣又は出金紙幣を一時的に収納する一時保留部として用いることができる。これらの用途に用いる場合、回収庫１０８は、複数の紙葉類が積層状態で収納される積層式の収納部、又は、複数の紙葉類が回転体に巻き取られた状態で収納される巻き取り式の収納部とすることができる。巻き取り式の収納部とする場合、回転体を１つとすることで、紙幣の収納量を多くすることができ、回転体の数を２つとすることで、紙幣を２種類に分けて収納することができる。なお、図１には、回収庫１０８として積層式の収納部が採用された状態が示されている。
【００２５】
回収庫１０８は、警備輸送業者等の紙幣回収業者によって回収される紙幣、又は、紙葉類入出ユニット１００に接続される収納ユニット（後述）に補充される紙幣の収納部として用いることができる。これらの用途に用いられる場合、回収庫１０８を着脱可能なカセットとすることで使い勝手が向上する。この場合、回収庫１０８は巻き取り式の収納部と、積層式の収納部のいずれを有しても良い。
【００２６】
なお、回収庫１０８に代えて、紙葉類排出部１０２と同様の構成を有する第２の紙葉類排出部を配置してもよい。
【００２７】
また、回収庫１０８を備える場合、紙葉類入出ユニット１００を入金機能のみを有するコンパクトな紙葉類処理装置として使用することも可能である。また、回収庫１０８を、収納した紙幣の搬送部１０５への繰り出しも可能なリサイクル式とした場合、紙葉類入出ユニット１００を入出金機能を有するコンパクトな紙葉類処理装置として使用することも可能である。この場合、回収庫１０８は巻き取り式の収納部と、積層式の収納部のいずれを有しても良い。
【００２８】
回収庫１０８は、その用途に応じて、紙葉類入出ユニット１００の内部に配置されて外部からアクセスできないようにしても良いし、紙葉類入出ユニット１００に鍵付の扉を設けて、この扉を開いて外部からアクセスできるようにしても良い。
【００２９】
また、紙葉類投入部１０１、紙葉類排出部１０２及び回収庫１０８の配置は、用途に応じて適宜変更してもよい。例えば、紙葉類排出部１０２と回収庫１０８のいずれかを最上部に配置してもよいし、紙葉類投入部１０１と紙葉類排出部１０２のいずれかを最下部に配置してもよいし、紙葉類投入部１０１と回収庫１０８のいずれかを中間部に配置してもよい。
【００３０】
また、識別部１０６を、紙葉類投入部１０１とループ状搬送路１０５ａを接続する分岐路１０５ｂに配置してもよい。
【００３１】
（２）第１の収納ユニット
図２は左側面側から見た第１の収納ユニット１１０の模式図である。第１の収納ユニット１１０は、第１の紙葉類収納部１１１を複数、例えば２つ備える。第１の収納ユニット１１０はその後方側の側面に第１の扉１１２を備える。第１の収納ユニット１１０はその前方側の側面に、第１の接続部１１３を備える。第１の収納ユニット１１０は、第１の紙葉類収納部１１１と第１の接続部１１３との間で双方向に紙幣を搬送可能な第１の接続路１１４を備える。接続路１１４は、複数の第１の紙葉類収納部１１１の間で双方向に紙幣を搬送可能な構成としてもよい。なお、第１の収納ユニット１１０は、その下面に第３の入出部１１５（図１３参照）を有しても良い。
【００３２】
第１の紙葉類収納部１１１は、紙幣の収納と繰り出しが可能なリサイクル式の収納部である。第１の紙葉類収納部１１１は、回転体１１１ａを２つ有する巻き取り式の収納部で構成されている。第１の紙葉類収納部１１１は、回転体１１１ａを１つ有する巻き取り式の収納部であっても良いし、積層式の収納部であっても良い。また、第１の収納ユニット１１０は、巻き取り式の収納部と積層式の収納部を混在して備えてもよい。また、第１の紙葉類収納部１１１は、第１の収納ユニット１１０に対して着脱自在なカセットとすることができる。
【００３３】
第１の扉１１２は施錠可能となっている。解錠後に第１の扉１１２を開くことで、２つの第１の紙葉類収納部１１１へのアクセスが可能となる。複数の第１の紙葉類収納部１１１を上下方向に重ねて配置し、第１の扉１１２を第１の収納ユニット１１０の後方側の側面に設けたことにより、第１の扉１１２を開いたときに複数の第１の紙葉類収納部１１１のそれぞれに個別にアクセスすることができる。
【００３４】
また、第１の扉１１２は、第１の収納ユニット１１０の上面に設けてもよい。この場合は、複数の第１の紙葉類収納部１１１を水平方向に並べて配置することで、第１の扉１１２を開いたときに複数の第１の紙葉類収納部１１１のそれぞれに個別にアクセスすることができる。
【００３５】
第１の接続部１１３は、開口を有し、紙葉類入出ユニット１００が備える第１の入出部１０３に接続されて紙幣の通路を構成する。すなわち、第１の収納ユニット１１０は、第１の接続部１１３を介して第１の入出部１０３に接続される。
【００３６】
第１の収納ユニット１１０の使用態様については後述する。
【００３７】
（３）第２の収納ユニット
図３は左側面側から見た第２の収納ユニット１２０の模式図である。なお、後述の説明から明らかとなるように、第２の収納ユニット１２０は紙葉類入出ユニット１００へ直接接続されるか他のユニットを介して接続されるかによって、前後及び左右が入れ替わる。よって、前後及び左右が入れ替わった場合、図３は右側面側から見た模式図ということになる。以下、特に断らない限り、第２の収納ユニット１２０の説明は、図３に示される状態、すなわち、図３の紙面に垂直な方向の手前側が左側、右側が前側、及び左側が後側であるという状態に基づく。
【００３８】
第２の収納ユニット１２０は、第２の紙葉類収納部１２１を複数、例えば４つ備える。第２の収納ユニット１２０はその前方側の側面に第２の扉１２２を備える。第２の収納ユニット１２０はその上面に、第２の接続部１２３を備える。第２の収納ユニット１２０は、第２の紙葉類収納部１２１と第２の接続部１２３との間で双方向に紙幣を搬送可能な第２の接続路１２４を備える。第２の接続路１２４は、複数の第２の紙葉類収納部１２１の間でも双方向に紙幣を搬送可能である。なお、図３に示されるように、第２の収納ユニット１２０はその後方側の側面に、第４の入出部１２５を備えても良い。第４の入出部１２５は、開口を有し、後に説明する第３の接続部１３３と接続されて紙幣の通路を構成する。
【００３９】
第２の紙葉類収納部１２１は、紙幣の収納と繰り出しが可能なリサイクル式の収納部である。第２の紙葉類収納部１２１は、巻き取り式の収納部又は積層式の収納部で構成される。巻き取り式の収納部の場合、第２の紙葉類収納部１２１は、１つ又は２つの回転体１２１ａを有する。図３に示される例では、３つの第２の紙葉類収納部１２１が２つの回転体１２１ａを有する巻き取り式の収納部で構成されており、１つの第２の紙葉類収納部１２１が１つの回転体１２１ａを有する巻き取り式の収納部で構成されている。また、第２の収納ユニット１２０は、巻き取り式の収納部と積層式の収納部を混在して備えてもよい。第２の紙葉類収納部１２１は、第２の収納ユニット１２０に対して着脱自在とすることができる。
【００４０】
第２の扉１２２は施錠可能となっている。解錠後に第２の扉１２２を開くことで、４つの第２の紙葉類収納部１２１へのアクセスが可能となる。複数の第２の紙葉類収納部１２１を上下方向に重ねて配置し、第２の扉１２２を第２の収納ユニット１２０の側面に設けたことにより、第２の扉１２２を開いたときに複数の第２の紙葉類収納部１２１のそれぞれに個別にアクセスすることができる。
【００４１】
第２の接続部１２３は、開口を有し、紙葉類入出ユニット１００が備える第２の入出部１０４と接続されて紙幣の通路を構成する。すなわち、第２の収納ユニット１２０は、第２の接続部１２３を介して第２の入出部１０４に接続される。
【００４２】
第２の収納ユニット１２０の使用態様については後述する。
【００４３】
（４）第３の収納ユニット
図４は左側面側から見た第３の収納ユニット１３０の模式図である。なお、後述の説明から明らかとなるように、第３の収納ユニット１３０は紙葉類入出ユニット１００へ接続されるか他のユニットを介して接続されるかによって、前後及び左右が入れ替わる。よって、前後及び左右が入れ替わった場合、図４は右側面側から見た模式図ということになる。以下、特に断らない限り、第３の収納ユニット１３０の説明は、図４に示される状態、すなわち、図４の紙面に垂直な方向の手前側が左側、右側が前側、及び左側が後側であるという状態に基づく。
【００４４】
第３の収納ユニット１３０は、第３の紙葉類収納部１３１を備える。第３の収納ユニット１３０はその後方側の側面に第３の扉１３２を備える。第３の収納ユニット１３０はその前方側の側面に、第３の接続部１３３を備える。第３の収納ユニット１３０は、第３の紙葉類収納部１３１と第３の接続部１３３との間で双方向に紙幣を搬送可能な第３の接続路１３４を備える。なお、第３の収納ユニット１３０は、その上面に第４の接続部１３５（図８参照）を有しても良い。
【００４５】
第３の紙葉類収納部１３１は、取り込んだ紙幣を内部に収納するとともに、収納した紙幣を外部に繰り出すことができる積層式の収納部で構成されている。また、第３の紙葉類収納部１３１を、収納した紙幣を外部に繰り出すことができない収納専用の収納部としてもよい。この場合は、第３の紙葉類収納部１３１をパウチ式の収納部で構成することも可能である。第３の紙葉類収納部１３１を複数設けることも可能である。例えば、２つのパウチ式の収納部を水平方向に並べて配置してもよい。第３の紙葉類収納部１３１は、第３の収納ユニット１３０に対して着脱自在とすることができる。
【００４６】
第３の扉１３２は施錠可能となっている。解錠後に第３の扉１３２を開くことで、第３の紙葉類収納部１３１へのアクセスが可能となる。
【００４７】
第３の接続部１３３は、開口を有し、第２の収納ユニット１２０が備える第４の入出部１２５に接続されて紙幣の通路を構成する。すなわち、第３の収納ユニット１３０は、第３の接続部１３３を介して第４の入出部１２５に接続される。
【００４８】
第３の収納ユニット１３０の使用態様については後述する。
【００４９】
（５）紙葉類処理装置の第１の形態
図５は、本発明の一実施形態に係る紙葉類処理装置２１０を左側面側から見た模式図である。紙葉類処理装置２１０は紙葉類入出ユニット１００と第１の収納ユニット１１０とを備える。紙葉類入出ユニット１００と第１の収納ユニット１１０とは、高さが互いに略等しくされている。
【００５０】
紙葉類処理装置２１０において、搬送部１０５は、第１の入出部１０３及び第１の接続部１１３を介して、複数の第１の紙葉類収納部１１１に接続されている。よって、紙葉類投入部１０１から投入された紙幣は、搬送部１０５によって搬送されるとともに識別部１０６で識別された後、識別結果に従って、複数の第１の紙葉類収納部１１１のいずれかに収納される。また、第１の紙葉類収納部１１１に収納されている紙幣は、搬送部１０５によって搬送されるとともに、必要に応じて識別部１０６で識別された後、紙葉類排出部１０２から排出される。
【００５１】
紙葉類処理装置２１０は、紙幣を収納するスペースとして、第１の収納ユニット１１０内の２つの第１の紙葉類収納部１１１を有している。それぞれの第１の紙葉類収納部１１１は２つの回転体を有しているので、真偽、正損、金種等の種類別に、最大で４種類に紙幣を物理的に区分けして収納することができる。１つの回転体に複数の種類の紙幣を巻き取るようにしてもよく、この場合は、５種類以上の紙幣を収納することができる。また、紙幣を収納した第１の紙葉類収納部１１１を紙葉類処理装置２１０から取り外すことで、紙葉類処理装置２１０から紙幣を回収することができる。また、紙幣を収納した第１の紙葉類収納部１１１を紙葉類処理装置２１０に取り付けることで、紙葉類処理装置２１０に紙幣を補充することができる。
【００５２】
しかも、紙葉類入出ユニット１００と第１の収納ユニット１１０とは、高さが互いに略等しい。また、紙葉類入出ユニット１００は、紙葉類の入出を伴う処理を行う装置に最低限求められる機能だけを有しているので、高さは最小限となっている。したがって、紙葉類処理装置２１０は、紙葉類処理装置としては全高が小さいものとなっている。
【００５３】
そのため、紙葉類処理装置２１０は、全高の大きな装置を設置できない場所又は、そのような装置を設置すると邪魔になる場所、例えば、机又はカウンターの上、若しくは、机又はカウンターの下に設置して使用することができる。
【００５４】
なお、紙葉類入出ユニット１００及び第１の収納ユニット１１０の幅（すなわち図５において紙面に垂直な方向の長さ）を略等しくしてもよい。そうすれば、紙葉類処理装置２１０全体の幅を必要最小限のものとして、より狭いスペースに設置することができる。
【００５５】
（６）紙葉類処理装置の第２の形態
図６は、本発明の他の実施形態に係る紙葉類処理装置２２０を左側面側から見た模式図である。紙葉類処理装置２２０は紙葉類入出ユニット１００と第２の収納ユニット１２０とを備える。紙葉類入出ユニット１００と第２の収納ユニット１２０とは、奥行き、すなわち、前後方向の長さが互いに略等しくされている。
【００５６】
紙葉類処理装置２２０において、搬送部１０５は、第２の入出部１０４及び第２の接続部１２３を介して、複数の第２の紙葉類収納部１２１に接続されている。よって、紙葉類投入部１０１から投入された紙幣は、搬送部１０５によって搬送されるとともに識別部１０６で識別された後、識別結果に従って、複数の第２の紙葉類収納部１２１のいずれかに収納される。また、第２の紙葉類収納部１２１に収納されている紙幣は、搬送部１０５によって搬送されるとともに、必要に応じて識別部１０６で識別された後、紙葉類排出部１０２から排出される。
【００５７】
紙葉類処理装置２２０は、紙幣を収納するスペースとして、第２の収納ユニット１２０内の第２の紙葉類収納部１２１を有している。よって、紙葉類処理装置２２０は比較的多量の紙幣を収納できる。また、紙葉類処理装置２２０は、真偽、正損、金種等の種類別に、最大で７種類に物理的に区分けして紙幣を収納することができる。全ての第２の紙葉類収納部１２１を回転体１２１ａを２つ有する収納部とすることで、最大８種類に紙幣を物理的に区分けして収納することもできる。そのため紙葉類処理装置２２０によれば、大量に紙幣を収納したり、多種類に紙幣を物理的に区分けして収納することができる。なお、第１の形態の紙葉類処理装置２１０と同様に、１つの回転体に複数の種類の紙幣を巻き取るようにしてもよい。また、紙幣を収納した第２の紙葉類収納部１２１を紙葉類処理装置２２０から取り外すことで、紙葉類処理装置２２０から紙幣を回収することができる。また、紙幣を収納した第２の紙葉類収納部１２１を紙葉類処理装置２２０に取り付けることで、紙葉類処理装置２２０に紙幣を補充することができる。
【００５８】
また、紙葉類処理装置２２０は、設置の際に必要となるスペースの奥行きが紙葉類入出ユニット１００に等しい。よって、狭いスペースに設置することができる。また、紙葉類入出ユニット１００及び第２の収納ユニット１２０の幅（すなわち図６において紙面に垂直な方向の長さ）を略等しくしてもよい。そうすれば、紙葉類処理装置２２０全体の幅を必要最小限のものとして、より狭いスペースに設置することができる。また、紙葉類処理装置２２０の後面または側面を壁に寄せて設置する場合に、壁との間に無駄なスペースが生じることがなく、壁と反対側となる紙葉類処理装置２２０の前面または側面に突出部がない構造とすることができる。
【００５９】
（７）紙葉類処理装置の第３の形態
図７は、本発明の他の実施形態に係る紙葉類処理装置２３０を左側面側から見た模式図である。紙葉類処理装置２３０は紙葉類入出ユニット１００、第２の収納ユニット１２０及び第３の収納ユニット１３０を備える。紙葉類入出ユニット１００、第２の収納ユニット１２０及び第３の収納ユニット１３０は、奥行き、すなわち、前後方向の長さが互いに略等しくされている。
【００６０】
紙葉類処理装置２３０において、搬送部１０５は、第２の入出部１０４及び第２の接続部１２３を介して、複数の第２の紙葉類収納部１２１に接続されている。また、搬送部１０５は、第２の収納ユニット１２０、第４の入出部１２５及び第３の接続部１３３を介して、第３の紙葉類収納部１３１に接続されている。よって、紙葉類投入部１０１から投入された紙幣は、搬送部１０５によって搬送されるとともに識別部１０６で識別された後、識別結果に従って、複数の第２の紙葉類収納部１２１のいずれか又は第３の紙葉類収納部１３１に収納される。また、第２の紙葉類収納部１２１又は第３の紙葉類収納部１３１に収納されている紙幣は、搬送部１０５によって搬送されるとともに、必要に応じて識別部１０６で識別された後、紙葉類排出部１０２から排出される。
【００６１】
紙葉類処理装置２３０は、紙幣を収納するスペースとして、第２の収納ユニット１２０内の第２の紙葉類収納部１２１、及び、第３の収納ユニット１３０内の第３の紙葉類収納部１３１を有している。よって、紙葉類処理装置２３０は多量の紙幣を収納できる。また、紙葉類処理装置２３０は、真偽、正損、金種等の種類別に、最大で８種類に物理的に区分けして、第２の紙葉類収納部１２１及び第３の収納ユニット１３０内に紙幣を収納することができる。また、収納した紙幣を種類毎に排出することが可能である。全ての第２の紙葉類収納部１２１を回転体１２１ａを２つ有する収納部とすることで、最大９種類に紙幣を物理的に区分けして収納することもできる。そのため、紙葉類処理装置２３０によれば、大量に紙幣を収納したり、多種類に紙幣を物理的に区分けして収納することができる。また、それぞれの第２の紙葉類収納部１２１を、回転体１２１ａを２つ有するものと、回転体１２１ａを１つ有するもののいずれかに適宜変更できる。
【００６２】
また、第３の紙葉類収納部１３１は、警備輸送業者等の紙幣回収業者によって回収される紙幣が収納される回収用収納部とすることができる。第３の紙葉類収納部１３１を回収用収納部にする場合、第３の紙葉類収納部１３１の収納量は、複数の第２の紙葉類収納部１２１の収納量の合計量よりも大きくすることが好ましい。そうすれば、複数の第２の紙葉類収納部１２１内に収納されている紙幣全てを回収する必要が生じた場合であっても、それらの紙幣の全てを第３の紙葉類収納部１３１内に収納し、一度に全てを回収することができる。第３の紙葉類収納部１３１を複数設ける場合は、回収すべき紙幣を複数の第３の紙葉類収納部１３１に分けて収納することにより、１つの第３の紙葉類収納部１３１の重さを軽くでき、紙幣回収業者の負担を低減できる。また、回収すべき紙幣を、紙幣の種類別に分けて収納することもできる。また、第３の紙葉類収納部１３１は、その上面に第４の接続部１３５（図８参照）を有しても良いが、第４の接続部１３５は本実施形態では機能しないため、図７には図示されていない。
【００６３】
紙葉類処理装置２３０は、図７に示されるように、壁Ｗに設けられた貫通孔Ｈに途中まで挿入された状態で設置することができる。すなわち、壁Ｗの一方側に紙葉類入出ユニット１００と第２の収納ユニット１２０があり、壁Ｗの他方側に第３の収納ユニット１３０があるように設置することができる。この場合において、壁Ｗの他方側をクローズドエリア（警備輸送業者の専用通路、専用室等）にすれば、他者に妨害される恐れなく、第３の扉１３２を開いて第３の紙葉類収納部１３１内の紙幣を作業者が回収することができる。
【００６４】
一方、第２の紙葉類収納部１２１内の紙幣は、例えば銀行員や店員等、紙葉類処理装置２３０の設置者が、第２の扉１２２を開いて前方側から回収することができる。このとき、第２の紙葉類収納部１２１の扉１２２を解錠できる権限と、第３の紙葉類収納部１３１の扉１３２を解錠できる権限とを異なるようにしてもよい。具体的には、扉１２２と扉１３２の錠を解錠できる鍵を異なるものとしたり、扉１２２と扉１３２の錠を電子錠とした場合は、解錠のためのパスワードを異なるものとしてもよい。
【００６５】
（８）紙葉類処理装置の第４の形態
図８は、本発明の他の実施形態に係る紙葉類処理装置２４０を左側面側から見た模式図である。紙葉類処理装置２４０は、図７に示される紙葉類処理装置２３０と比較して、第２の収納ユニット１２０の配置位置と第３の収納ユニット１３０の配置位置とが入れ替わったものである。但し、本実施形態では、第３の収納ユニット１３０の上面の第４の接続部１３５が使用されるため、図８に第４の接続部１３５が図示されている。また、配置位置の入れ替わりに伴って、各ユニットの接続位置も変更されている。すなわち、紙葉類入出ユニット１００の第１の入出部１０３に第３の収納ユニット１３０の第４の接続部１３５が接続されている。
【００６６】
本実施形態に係る紙葉類処理装置２４０によれば、回収用収納部である第３の紙葉類収納部１３１からの紙幣回収作業を前方側から行うことができる。よって、紙幣の回収を、紙幣の投入及び排出を行う側と同じ側で行うことを希望するユーザの要求に応えることができる。
【００６７】
なお、次の２つの条件を満たすようにすることで、第２の収納ユニット１２０の配置位置と第３の収納ユニット１３０の配置位置とを自在に入れ替えることができるようになる。第１の条件は、第２の収納ユニット１２０の高さ、幅及び奥行きをそれぞれ第３の収納ユニット１３０の高さ、幅及び奥行きと等しくすることである。第２の条件は、第２の収納ユニット１２０の上面における第２の接続部１２３の設置位置と、第３の収納ユニット１３０の上面における第４の接続部１３５の設置位置とを一致させることである。
【００６８】
これらの条件が満たされることで、例えば、警備輸送業者等の回収業者による紙幣回収作業が、紙葉類処理装置２４０の前後いずれから行われるかという紙葉類処理装置２４０の使用態様に柔軟に応じることができる。
【００６９】
（９）紙葉類処理装置の第５の形態
図９は、本発明の他の実施形態に係る紙葉類処理装置２５０を左側面側から見た模式図である。紙葉類処理装置２５０は紙葉類入出ユニット１００と、２つの第２の収納ユニット１２０とを備える。
【００７０】
本実施形態に係る紙葉類処理装置２５０は、図７に示される紙葉類処理装置２３０と比較して、第３の収納ユニット１３０が第２の収納ユニット１２０に置き換わった点で異なっている。それに伴い、２つの第２の収納ユニット１２０同士は、それぞれが有する第４の入出部１２５を介して接続されている。その他の構成は共通である。
【００７１】
本実施形態に係る紙葉類処理装置２５０は、第２の紙葉類収納部１２１を合計８つ有している。よって、大量の紙葉類を収納することが可能である。また、更に多種類に物理的に区分けして紙幣を収納することが可能である。また、収納した紙葉類を種類毎に排出することが可能である。本実施形態に係る紙葉類処理装置２５０は、回転体１２１ａを２つ有する第２の紙葉類収納部１２１を６つと、回転体１２１ａを１つ有する第２の紙葉類収納部１２１を２つ有しているので、１４種類に物理的に区分けして紙幣を収納することが可能である。したがって、本実施形態に係る紙葉類処理装置２５０は、例えば、ユーロ紙幣と米ドル紙幣の両方を扱う銀行等において特に有用である。また、それぞれの第２の紙葉類収納部１２１を、回転体１２１ａを２つ有するものと、回転体１２１ａを１つ有するもののいずれかに適宜変更できる。
【００７２】
（１０）紙葉類処理装置の第６の形態
図１０は、本発明の他の実施形態に係る紙葉類処理装置２６０を左側面側から見た模式図である。紙葉類処理装置２６０は紙葉類入出ユニット１００、第１の収納ユニット１１０、第２の収納ユニット１２０及び第３の収納ユニット１３０を備える。
【００７３】
紙葉類処理装置２６０において、搬送部１０５は、第１の入出部１０３及び第１の接続部１１３を介して、複数の第１の紙葉類収納部１１１に接続されている。また、搬送部１０５は、第２の入出部１０４及び第２の接続部１２３を介して、複数の第２の紙葉類収納部１２１に接続されている。また、搬送部１０５は、第２の収納ユニット１２０、第４の入出部１２５及び第３の接続部１３３を介して、第３の紙葉類収納部１３１に接続されている。よって、紙葉類投入部１０１から投入された紙幣は、搬送部１０５によって搬送されるとともに識別部１０６で識別された後、識別結果に従って、複数の第１の紙葉類収納部１１１のいずれか、複数の第２の紙葉類収納部１２１のいずれか又は第３の紙葉類収納部１３１に収納される。また、第１の紙葉類収納部１１１、第２の紙葉類収納部１２１又は第３の紙葉類収納部１３１に収納されている紙幣は、搬送部１０５によって搬送されるとともに、必要に応じて識別部１０６で識別された後、紙葉類排出部１０２から排出される。
【００７４】
紙葉類処理装置２６０は、紙幣を収納するスペースとして、第１の収納ユニット１１０内の第１の紙葉類収納部１１１、第２の収納ユニット１２０内の第２の紙葉類収納部１２１、及び、第３の収納ユニット１３０内の第３の紙葉類収納部１３１を有している。よって、紙葉類処理装置２６０は多量の紙幣を収納できる。また、紙葉類処理装置２６０は、真偽、正損、金種等の種類別に、最大で１２種類に物理的に区分けして、第２の紙葉類収納部１２１及び第３の紙葉類収納部１３１内に紙幣を収納し排出することができる。全ての第２の紙葉類収納部１２１を回転体１２１ａを２つ有する収納部とすることで、最大１３種類に紙幣を物理的に区分けして収納することもできる。そのため、紙葉類処理装置２３０によれば、大量に紙幣を収納したり、多種類に紙幣を物理的に区分けして収納し排出することができる。
【００７５】
また、第３の紙葉類収納部１３１は、警備輸送業者等の紙幣回収業者によって回収される紙幣が収納される回収用収納部とすることができる。第３の紙葉類収納部１３１を回収用収納部にする場合、第３の紙葉類収納部１３１の収納量は、複数の第１の紙葉類収納部１１１の収納量と複数の第２の紙葉類収納部１２１の収納量との合計量よりも大きくすることが好ましい。そうすれば、複数の第１の紙葉類収納部１１１及び複数の第２の紙葉類収納部１２１内に収納されている紙幣全てを回収する必要が生じた場合であっても、それらの紙幣の全てを第３の紙葉類収納部１３１内に収納し、一度に全てを回収することができる。また、この場合、紙葉類処理装置２６０は、全ての第２の紙葉類収納部１２１を回転体１２１ａを２つ有する収納部とすることで、最大１２種類に紙幣を物理的に区分けして収納することができる。
【００７６】
なお、図８に示される紙葉類処理装置２４０のように、第２の収納ユニット１２０の配置位置と第３の収納ユニット１３０の配置位置を変更可能としてもよいことは勿論である。
【００７７】
（１１）紙葉類処理装置の第７の形態
図１１は、本発明の他の実施形態に係る紙葉類処理装置２７０を左側面側から見た模式図である。紙葉類処理装置２７０は紙葉類入出ユニット１００と、第３の収納ユニット１３０とを備える。紙葉類入出ユニット１００と第３の収納ユニット１３０とは、奥行き、すなわち、前後方向の長さが互いに略等しくされている。
【００７８】
紙葉類処理装置２７０において、搬送部１０５は、第２の入出部１０４及び第４の接続部１３５を介して、大容量の第３の紙葉類収納部１３１に接続されている。よって、紙葉類投入部１０１から投入された紙幣は、搬送部１０５によって搬送されるとともに識別部１０６で識別された後、第３の紙葉類収納部１３１に収納される。
【００７９】
本実施形態に係る紙葉類処理装置２７０は入金機として使用することが可能である。第３の紙葉類収納部１３１が収納専用の収納庫である場合は、回収庫１０８を入金処理時の一時保留部として使用し、入金額の確定に伴い、回収庫１０８に収納された紙幣を第３の紙葉類収納部１３１に搬送するようにしてもよい。なお、必要に応じて、第３の紙葉類収納部１３１に収納されている紙幣が、搬送部１０５によって搬送されて、紙葉類排出部１０２から排出されるようにしてよい。
【００８０】
本実施形態に係る紙葉類処理装置２７０は、設置の際に必要となるスペースの奥行きが紙葉類入出ユニット１００に等しい。よって、狭いスペースに設置することができる。また、紙葉類入出ユニット１００と第３の収納ユニット１３０との幅（すなわち図１１において紙面に垂直な方向の長さ）を略等しくしてもよい。そうすれば、紙葉類処理装置２７０全体の幅を必要最小限のものとして、より狭いスペースに設置することができる。
【００８１】
（１２）紙葉類処理装置の第８の形態
図１２は、本発明の他の実施形態に係る紙葉類処理装置２８０を左側面側から見た模式図である。紙葉類処理装置２８０は紙葉類入出ユニット１００、第２の収納ユニット１２０及び第４の収納ユニット１４０を備える。紙葉類入出ユニット１００、第２の収納ユニット１２０及び第４の収納ユニット１４０は、奥行き、すなわち、前後方向の長さが互いに略等しくされている。
【００８２】
本実施形態に係る紙葉類処理装置２８０は、図６に示される紙葉類処理装置２２０の下方に第４の収納ユニット１４０が設けられたものである。第４の収納ユニット１４０は、第４の紙葉類収納部１４１と、施錠可能な第４の扉１４２とを有している。
【００８３】
第４の紙葉類収納部１４１は、第２の収納ユニット１２０内の第２の接続路１２４と接続された積層式の収納部である。第４の紙葉類収納部１４１は、第４の扉１４２を開くことで、アクセス可能とされている。また、第４の紙葉類収納部１４１は、第４の収納ユニット１４０に対して着脱可能なカセット式の収納部である。第４の紙葉類収納部１４１は、警備輸送業者等の紙幣回収業者によって回収される紙幣が収納される回収用収納部とすることができる。
【００８４】
本実施形態に係る紙葉類処理装置２８０は、図６に示される紙葉類処理装置２２０と同様、比較的小さな設置スペースに設置することができる。更に、第４の紙葉類収納部１４１を備えているので、警備輸送業者等の紙幣回収業者による紙幣の回収作業を効率よく行うことができる。なお、第４の扉１４２を第４の収納ユニット１４０の後側に設けることで、第４の紙葉類収納部１４１へのアクセスを紙葉類処理装置２８０の後方から行えるようにしても良いことは勿論である。
【００８５】
（１３）紙葉類処理装置の第９の形態
図１３は、本発明の他の実施形態に係る紙葉類処理装置２９０を左側面側から見た模式図である。紙葉類処理装置２９０は紙葉類入出ユニット１００、第１の収納ユニット１１０及び第３の収納ユニット１３０を備える。紙葉類入出ユニット１００と、第１の収納ユニット１１０とは、高さが互いに略等しくされている。また、第１の収納ユニット１１０と、第３の収納ユニット１３０とは、奥行き、すなわち、前後方向の長さが互いに略等しくされている。
【００８６】
紙葉類処理装置２９０において、搬送部１０５は、第１の入出部１０３及び第１の接続部１１３を介して、複数の第１の紙葉類収納部１１１に接続されている。また、搬送部１０５は、第１の収納ユニット１１０、第３の入出部１１５及び第４の接続部１３５を介して、第３の紙葉類収納部１３１に接続されている。よって、紙葉類投入部１０１から投入された紙幣は、搬送部１０５によって搬送されるとともに識別部１０６で識別された後、識別結果に従って、複数の第１の紙葉類収納部１１１のいずれか又は第３の紙葉類収納部１３１に収納される。また、第１の紙葉類収納部１１１又は第３の紙葉類収納部１３１に収納されている紙幣は、搬送部１０５によって搬送されるとともに、必要に応じて識別部１０６で識別された後、紙葉類排出部１０２から排出される。
【００８７】
紙葉類処理装置２９０は、紙幣を収納するスペースとして、第１の収納ユニット１１０内の第１の紙葉類収納部１１１、及び、第３の収納ユニット１３０内の第３の紙葉類収納部１３１を有している。よって、紙葉類処理装置２９０は、多量の紙幣を収納できる。また、真偽、正損、金種等の種類別に、最大で５種類に物理的に区分けして、第１の紙葉類収納部１１１及び第３の紙葉類収納部１３１内に紙幣を収納することができる。
【００８８】
また、第３の紙葉類収納部１３１は、警備輸送業者等の紙幣回収業者によって回収される紙幣が収納される回収用収納部とすることができる。第３の紙葉類収納部１３１を回収用収納部にする場合、第３の紙葉類収納部１３１の収納量は、複数の第１の紙葉類収納部１１１の収納量の合計量よりも大きくすることが好ましい。そうすれば、複数の第１の紙葉類収納部１１１内に収納されている紙幣全てを回収する必要が生じた場合であっても、それらの紙幣の全てを第３の紙葉類収納部１３１内に収納し、一度に全てを回収することができる。
【００８９】
紙葉類処理装置２９０は、図１３に示されるように、壁Ｗに設けられた貫通孔Ｈに途中まで挿入された状態で設置することができる。すなわち、壁Ｗの一方側に紙葉類入出ユニット１００が露出しており、壁Ｗの他方側に第１の収納ユニット１１０と第３の収納ユニット１３０があるように設置することができる。この場合において、壁Ｗの他方側をクローズドエリア（警備輸送業者の専用通路、専用室等）にすれば、他者に妨害される恐れなく、第３の扉１３２を開いて第３の紙葉類収納部１３１内の紙幣を作業者が回収することができる。
【００９０】
紙葉類入出ユニット１００の制御部１０７は、第１の収納ユニット１１０、第２の収納ユニット１２０、第３の収納ユニット１３０又は第４の収納ユニット１４０の接続情報に応じて、それらの動作を制御する。接続情報は、どのユニットがどのような配置で紙葉類入出ユニット１００に接続されているかを示す情報である。接続情報は、図示しない入力手段を用いて管理者が入力してもよい。入力された接続情報はメモリに記憶され、制御部１０７は、記憶された接続情報を基に各ユニットを制御する。また、接続情報は、各ユニットの接続状態を検知することで自動的に作成されてもよい。制御部１０７は、例えば、各入出部や接続部の接続状態を検知するセンサや、各ユニットの間で信号を送信する送信線の接続状態を検知する回路などにより、各ユニットの接続状態を自動的に検知することができる。
【００９１】
（１４）紙葉類処理システム
次に、図１４を参照しながら、本発明に係る紙葉類処理システム３００について説明する。紙葉類処理システム３００は、３台の紙葉類処理装置２１０（紙葉類入出ユニット１００と第１の収納ユニット１１０とを備える）と、１台の紙葉類処理装置２４０（紙葉類入出ユニット１００、第２の収納ユニット１２０及び第３の収納ユニット１３０とを備える）、これらの紙葉類処理装置にネットワークを介して接続されているサーバ３０１とを有する。
【００９２】
本紙葉類処理システム３００は、小売店に設置され、店舗システムを構成している。すなわち、３台の紙葉類処理装置２１０は、３台のレジ端末（不図示）それぞれと接続されるとともに店舗のフロント側に設置され、精算機として機能する。１台の紙葉類処理装置２４０は、売上金の回収と釣銭準備金の補充を行う管理機として機能し、店舗のバックオフィスに設置される。サーバ３０１はバックオフィスに設置され、紙葉類処理装置２１０（精算機）及び紙葉類処理装置２４０（管理機）の動作、並びに、これらに収納されている紙幣の金種及び枚数等の管理を行う。
【００９３】
紙葉類処理装置２１０（精算機）及び紙葉類処理装置２４０（管理機）は、いずれも、紙葉類入出ユニット１００内に、カセット式で着脱自在の回収庫１０８を有している。これらの回収庫１０８は巻き取り式の収納部を有している。
【００９４】
以上のように構成された紙葉類処理システム３００によれば、次のようなステップを経て売上金の回収を行うことができる。
【００９５】
まず、紙葉類処理装置２１０（精算機）が備える第１の収納ユニット１１０に収納されている紙幣の中の回収する紙幣を、紙葉類処理装置２１０（精算機）が備える紙葉類入出ユニット１００に取り付けられた回収庫１０８に収納する。
【００９６】
次に、回収庫１０８を紙葉類処理装置２１０（精算機）から取り外す。
【００９７】
次に、紙葉類処理装置２１０（精算機）から取り外した回収庫１０８を紙葉類処理装置２４０（管理機）が備える紙葉類入出ユニット１００に取り付ける。
【００９８】
次に、回収庫１０８内の紙幣を紙葉類処理装置２４０（管理機）が備える紙葉類入出ユニット１００内に繰り出すとともに計数し、紙葉類処理装置２４０（管理機）が備える第２の収納ユニット１２０または第３の収納ユニット１３０内に収納する。以上のステップを経ることにより、売上金の回収を行うことができる。
【００９９】
また、紙葉類処理システム３００によれば、次のようなステップを経て釣銭準備金の補充を行うことができる。
【０１００】
まず、紙葉類処理装置２４０（管理機）が備える第２の収納ユニット１２０に収納されている紙幣の中の釣銭準備金とする紙幣を、紙葉類処理装置２４０（管理機）が備える紙葉類入出ユニット１００に取り付けられた回収庫１０８に収納する。なお、釣銭準備金とする紙幣は、紙葉類処理装置２１０（精算機）が備える第３の収納ユニット１３０内に収納されている紙幣でも良い。
【０１０１】
次に、回収庫１０８を紙葉類処理装置２４０（管理機）から取り外す。
【０１０２】
次に、紙葉類処理装置２４０（管理機）から取り外した回収庫１０８を紙葉類処理装置２１０（精算機）が備える紙葉類入出ユニット１００に取り付ける。
【０１０３】
次に、回収庫１０８内の紙幣を紙葉類処理装置２１０（精算機）が備える紙葉類入出ユニット１００内に繰り出すとともに計数し、紙葉類処理装置２１０（精算機）が備える第１の収納ユニット１１０内に収納する。以上のステップを経ることにより、釣銭準備金の補充を行うことができる。
【０１０４】
なお、紙葉類処理装置２１０（精算機）と紙葉類処理装置２４０（管理機）との間における紙幣の移動に用いられるカセット式の収納庫は、第１の収納ユニット１１０が備える第１の紙葉類収納部１１１又は第２の収納ユニット１２０が備える第２の紙葉類収納部１２１であってもよい。また、紙葉類入出ユニット１００が備える回収庫１０８と、第１の収納ユニット１１０が備える第１の紙葉類収納部１１１と、第２の収納ユニット１２０が備える第１の紙葉類収納部１２１との少なくとも２つを、相互に交換可能としても良い。すなわち、例えば、紙葉類処理装置２１０（精算機）の紙葉類入出ユニット１００に取り付けられていた回収庫１０８を、紙葉類処理装置２１０（精算機）から取り外した後、紙葉類処理装置２４０（管理機）の第２の収納ユニット１２０に取り付けることができるようにしても良い。また、１つの紙葉類処理装置２１０（釣銭機）と他の紙葉類処理装置２１０（釣銭機）との間において、紙葉類入出ユニット１００が備える回収庫１０８と、第１の収納ユニット１１０が備える第１の紙葉類収納部１１１との少なくとも２つを、相互に交換可能としても良い。
【０１０５】
また、紙葉類処理装置２１０（精算機）と紙葉類処理装置２４０（管理機）との間において、それぞれが備える紙葉類入出ユニット１００を交換可能としても良い。この場合、例えば、店舗営業中に１つの紙葉類処理装置２１０（精算機）の紙葉類入出ユニット１００が故障しても、バックオフィスにある紙葉類処理装置２４０（管理機）と紙葉類入出ユニット１００を交換することにより、素早く復旧することができる。よって、店舗営業中に使用可能なレジの数が減ることを防止することができる。なお、紙葉類処理装置２４０（管理機）に取り付けられた故障した紙葉類入出ユニット１００は、店舗の営業が終了して紙幣回収作業が行われるまでに修理すれば良い。また、１つの紙葉類処理装置２１０（精算機）と他の紙葉類処理装置２１０（精算機）との間において、それぞれが備える紙葉類入出ユニット１００を交換可能としても良い。
【０１０６】
なお、サーバ３０１は、紙葉類処理装置２１０（精算機）及び紙葉類処理装置２４０（管理機）における補充された紙幣や回収された紙幣の枚数や金額を管理しても良い。また、サーバ３０１は、それらの紙幣の記番号等の情報を管理しても良い。また、回収庫１０８に個体識別情報を付与し、サーバ３０１は、紙葉類処理装置２１０（精算機）と紙葉類処理装置２４０（管理機）との間で移動される回収庫１０８を管理しても良い。
【０１０７】
紙葉類処理システム３００は、サーバ３０１を備えていなくても良い。その場合、紙葉類処理装置２１０（精算機）と紙葉類処理装置２４０（管理機）との間で直接必要な情報の送受信が行われ、それぞれが備える制御部１０７が必要な情報の管理を行う。
【０１０８】
また、カセット式の回収庫１０８がメモリを搭載し、その内部に収納した紙幣の金額や枚数を記憶するようにしても良い。その場合、回収庫１０８を紙葉類処理装置２１０（精算機）と紙葉類処理装置２４０（管理機）の一方から取り外して他方に取り付けることによって、紙幣とともに、当該紙幣の金額と枚数に関する情報を渡すことができる。
【０１０９】
なお、紙葉類処理システム３００が小売店に設置される店舗システムに限られないことは勿論である。例えば、店舗に設置されている紙葉類処理装置２１０と、店舗とは別の施設であって店舗から離れた位置にある紙幣センターに設置されている紙葉類処理装置２４０とによって紙葉類処理システム３００が構成されてもよい。
【０１１０】
また、紙葉類処理システム３００を構成する紙葉類処理装置が上記のものには限られないことは言うまでもない。例えば、店舗に設置される紙葉類処理装置２１０に代えて、紙葉類入出ユニット１００と第２の収納ユニット１２０とから構成される紙葉類処理装置２２０を用いても良い。
【０１１１】
以上本発明の実施形態について説明したが、本発明は上記実施形態に限定されるものではなく、本発明の趣旨を逸脱しない範囲で種々の変更が可能である。
【０１１２】
また、処理対象の紙葉類は紙幣に限定されない。処理対象は小切手、伝票などのシート類であってもよい。処理対象の材質は紙に限定されず、例えば、樹脂を主な原料とするシート類であってもよい。
【産業上の利用可能性】
【０１１３】
本発明は、ユーザからの要求に応じて機能の加除を柔軟に行うことができる紙葉類処理装置及びこれを構築する紙葉類入出ユニットに適用することができる。よって、その産業上の利用可能性は多大である。
【符号の説明】
【０１１４】
１００  紙葉類入出ユニット
１００ａ  投入口
１００ｂ  排出口
１０１  紙葉類投入部
１０２  紙葉類排出部
１０３  第１の入出部
１０４  第２の入出部
１０５  搬送部
１０５ａ  ループ状搬送路
１０５ｂ  分岐路
１０６  識別部
１０７  制御部
１０８  回収庫
１１０  第１の収納ユニット
１１１  第１の紙葉類収納部
１１２  第１の扉
１１３  第１の接続部
１１４  第１の接続路
１１５  第３の入出部
１２０  第２の収納ユニット
１２１  第２の紙葉類収納部
１２２  第２の扉
１２３  第２の接続部
１２４  第２の接続路
１２５  第４の入出部
１１１ａ、１２１ａ  回転体
１３０  第３の収納ユニット
１３１  第３の紙葉類収納部
１３２  第３の扉
１３３  第３の接続部
１３４  第３の接続路
１３５  第４の接続部
１４０  第４の収納ユニット
１４１  第４の紙葉類収納部
１４２  第４の扉
２１０、２２０、２３０、２４０、２５０、２６０、２７０、２８０、２９０  紙葉類処理装置
３００  紙葉類処理システム
３０１  サーバ
Ｗ  壁
Ｈ  貫通孔
【図１】
2019074968.tif 000003
【図２】
2019074968.tif 000004
【図３】
2019074968.tif 000005
【図４】
2019074968.tif 000006
【図５】
2019074968.tif 000007
【図６】
2019074968.tif 000008
【図７】
2019074968.tif 000009
【図８】
2019074968.tif 000010
【図９】
2019074968.tif 000011
【図１０】
2019074968.tif 000012
【図１１】
2019074968.tif 000013
【図１２】
2019074968.tif 000014
【図１３】
2019074968.tif 000015
【図１４】
2019074968.tif 000016